(57)【要約】【課題】暗号化が必要なパーティションのみを暗号化する画像形成装置および画像形成システムを提供する。【解決手段】本発明の一形態に係る画像形成装置は、記録媒体の記録領域に１以上のパーティションを作成するパーティション作成手段と、前記作成された１以上のパーティションをフォーマットするフォーマット手段と、前記フォーマットされた１以上のパーティションのうち、暗号化すべきパーティションを指定する情報を取得する情報取得手段と、暗号鍵を生成する暗号鍵生成手段と、前記情報に基づき指定されたパーティションに記録されるデータが前記暗号鍵により暗号化されるように前記指定されたパーティションに対して暗号鍵を紐付ける暗号鍵設定手段とを備える。【選択図】図２
2015103923.tif 000002
【特許請求の範囲】
【請求項１】
記録媒体の記録領域に１以上のパーティションを作成するパーティション作成手段と、
前記作成された１以上のパーティションをフォーマットするフォーマット手段と、
前記フォーマットされた１以上のパーティションのうち、暗号化すべきパーティションを指定する情報を取得する情報取得手段と、
暗号鍵を生成する暗号鍵生成手段と、
前記情報に基づき指定されたパーティションに記録されるデータが前記暗号鍵により暗号化されるように前記指定されたパーティションに対して暗号鍵を紐付ける暗号鍵設定手段と
を備えた画像形成装置。
【請求項２】
請求項１に記載の画像形成装置であって、
前記パーティション作成手段は、
前記記録領域にパーティションを作成しない空き領域を残してパーティションを作成し、
前記パーティションの障害を検知した場合、前記パーティション作成手段に対し前記空き領域に新たなパーティションを作成させる障害処理手段をさらに備えた
画像形成装置。
【請求項３】
請求項２に記載の画像形成装置であって、
前記障害処理手段は、
前記障害の発生したパーティションが前記暗号鍵が紐付けられたパーティションである場合、
前記暗号鍵設定手段に、前記障害の発生したパーティションに紐付けられた前記暗号鍵の紐付け先を、前記新たなパーティションに切り替えさせる
画像形成装置。
【請求項４】
請求項３に記載の画像形成装置であって、
画像データを生成する画像形成手段をさらに備え、
前記暗号鍵設定部は、
前記画像形成手段により生成された前記画像データを保存する場所として、前記暗号鍵が紐付けられたパーティションを割り当てる
画像形成装置。
【請求項５】
パーティション作成手段が記録媒体の記録領域に１以上のパーティションを作成し、
フォーマット手段が前記作成された１以上のパーティションをフォーマットし、
情報取得手段が前記フォーマットされた１以上のパーティションのうち、暗号化すべきパーティションを指定する情報を取得し、
暗号鍵生成手段が暗号鍵を生成し、
暗号鍵設定手段が前記情報に基づき指定されたパーティションに記録されるデータが前記暗号鍵により暗号化されるように前記指定されたパーティションに対して暗号鍵を紐付ける
フォーマット方法。
【発明の詳細な説明】
【技術分野】
【０００１】
本発明は、印刷する情報を暗号化する画像形成装置および画像形成システムに関する。
【背景技術】
【０００２】
近年、企業、政府、自治体などにおいて、機密情報の漏洩が大きな問題となっており、機密文書の漏洩を防止する技術が強く望まれている。また、企業、政府、自治体などでは情報技術（ＩＴ）化が進んでおり、紙文書を電子化することで情報の共有化、管理費の削減などが推進されつつある。
【０００３】
一方、複写機等の画像形成装置においても、デジタル化が進んで原稿の画像を電子データとして取得し、原稿から読み取った画像データをネットワーク経由で他の画像形成装置へ送信したり、ＨＤＤ（Hard Disk Drive）や、取外し可能なメモリーカード等の記憶媒体に記憶させたりするものが知られている。また、複写のみならず、スキャナー、プリンター、ファクシミリなどの機能を併せ持つ複合機が普及しており、そのような機器を用いて文書の電子化が盛んに行われるようになってきた。
【０００４】
しかしながら、電子化された情報は、取り扱いが容易となるため、機密情報が漏洩するおそれが増大する。そこで、近年の画像形成装置では、原稿から読み取った画像データなどの印刷情報を暗号鍵により暗号化してＨＤＤなどの記録媒体の保存するようになった。記録媒体を暗号化するためには、暗号鍵を設定し、記録媒体をフォーマットする必要がある（例えば、特許文献１参照）。
【０００５】
なお、ＨＤＤ等の記録媒体は、異なった利用目的に対応するため、用途別に複数のパーティションに分割して利用されることが多く、フォーマットはパーティション単位で行われている。
【先行技術文献】
【特許文献】
【０００６】
【特許文献１】特開２０１２−１６０８５１号公報（段落[００５４]、図１３）
【発明の概要】
【発明が解決しようとする課題】
【０００７】
しかしながら、従来の技術では、画像形成装置において暗号化を行うにあたり、通常の（暗号化しない）フォーマットと暗号化フォーマットとを分けて用いることが出来ず、ＨＤＤの暗号化を行う場合、ＨＤＤ全体を暗号化する必要があった。
【０００８】
そのため、全てのパーティションを暗号化することにより堅牢性は強化できたが、暗号化する必要が無いパーティションにまで暗号鍵を設定し暗号化される結果となり、無駄な処理が発生していた。また暗号化が不要なデータも暗号化されることにより、データアクセス時に復号化処理が発生し、アクセス時間の増大に繋がっていた。
【０００９】
以上のような事情に鑑み、本発明の目的は、暗号化が必要なパーティションのみを暗号化する画像形成装置および画像形成システムを提供することにある。
【課題を解決するための手段】
【００１０】
上記目的を達成するため、本発明の一形態に係る画像形成装置は、記録媒体の記録領域に１以上のパーティションを作成するパーティション作成手段と、前記作成された１以上のパーティションをフォーマットするフォーマット手段と、前記フォーマットされた１以上のパーティションのうち、暗号化すべきパーティションを指定する情報を取得する情報取得手段と、暗号鍵を生成する暗号鍵生成手段と、前記情報に基づき指定されたパーティションに記録されるデータが前記暗号鍵により暗号化されるように前記指定されたパーティションに対して暗号鍵を紐付ける暗号鍵設定手段とを備える。
【００１１】
上記目的を達成するため、本発明の一形態に係る画像形成装置では、前記パーティション作成手段は、前記記録領域にパーティションを作成しない空き領域を残してパーティションを作成し、前記パーティションの障害を検知した場合、前記パーティション作成手段に対し前記空き領域に新たなパーティションを作成させる障害処理手段をさらに備えてもよい。
【００１２】
上記目的を達成するため、本発明の一形態に係る画像形成装置では、前記障害処理手段は、前記障害の発生したパーティションが前記暗号鍵が紐付けられたパーティションである場合、前記暗号鍵設定手段に、前記障害の発生したパーティションに紐付けられた前記暗号鍵の紐付け先を、前記新たなパーティションに切り替えさせてもよい。
【００１３】
上記目的を達成するため、本発明の一形態に係る画像形成装置は、画像データを生成する画像形成手段をさらに備え、前記暗号鍵設定部は、前記画像形成手段により生成された前記画像データを保存する場所として、前記暗号鍵が紐付けられたパーティションを割り当ててもよい。
【００１４】
上記目的を達成するため、本発明の一形態に係るフォーマット方法では、パーティション作成手段が記録媒体の記録領域に１以上のパーティションを作成し、フォーマット手段が前記作成された１以上のパーティションをフォーマットし、情報取得手段が前記フォーマットされた１以上のパーティションのうち、暗号化すべきパーティションを指定する情報を取得し、暗号鍵生成手段が暗号鍵を生成し、暗号鍵設定手段が前記情報に基づき指定されたパーティションに記録されるデータが前記暗号鍵により暗号化されるように前記指定されたパーティションに対して暗号鍵を紐付ける。
【発明の効果】
【００１５】
以上のように、本発明によれば、暗号化が必要なパーティションのみを暗号化することが出来る。
【図面の簡単な説明】
【００１６】
【図１】本発明の一実施形態に係る画像形成装置１の構成の一例を示すブロック図である。
【図２】画像形成装置１のＨＤＤ２０をフォーマットする際の処理の流れについて説明するためのフローチャートである。
【図３】ＨＤＤ２０内に生成された全てのパーティション（パーティション１からパーティション５まで）が、フォーマットされ、非暗号化状態である様子を示す図である。
【図４】ＨＤＤ２０内に生成された全てのパーティションのうち、暗号化すべきパーティション（パーティション１、２、および４）が、暗号化フォーマットによりフォーマットされた状態を示す図である。
【図５】本発明の第２の実施形態に係る画像形成装置１aの構成の一例を示すブロック図である。
【図６】代替パーティションを暗号化するか否かの判断を行って代替パーティションを作成する処理の流れを説明するためのフローチャートである。
【発明を実施するための形態】
【００１７】
以下、図面を参照しながら、本発明の実施形態を説明する。
【００１８】
＜第１の実施形態＞
［概要］
本実施形態では、記録媒体のフォーマット要求があった場合、まず初めに全てのパーティションに対して非暗号化フォーマットを行う。次に、暗号化するパーティションに対して、暗号鍵を設定し、暗号化フォーマットを行う。
【００１９】
なお、ここでいう暗号化フォーマットとは、非暗号化フォーマットが行われたパーティションに対し、非暗号化フォーマットにより作成されたファイルシステムを破壊し、暗号鍵が設けられた暗号化ファイルシステムを構築し直すものではなく、非暗号化フォーマットにより作成された非暗号化ファイルシステムに追加する形で暗号鍵を設定し、ファイルシステムが暗号化された状態とするものである。
【００２０】
本発明により、記録媒体内に用途に応じて暗号化パーティションと非暗号化パーティションを混在させることが出来るので、非暗号化パーティション内のデータアクセスを高速化することが出来る。
【００２１】
また、用途別に暗号化パーティションと非暗号化パーティションとを作成することにより。効率的に記録媒体を利用することが出来る。
【００２２】
［画像形成装置の構成］
最初に、本実施の形態に係る画像形成装置の構成について説明する。図１は、本発明の一実施形態に係る画像形成装置１の構成の一例を示すブロック図である。なお、図に示す画像形成装置１は、複写機能、プリンター機能、ファクシミリ機能、およびスキャナー機能等、画像形成に関する複数の機能を兼ね備えたいわゆる複合機である。
【００２３】
画像形成装置１は、スキャナー部１０、ＨＤＤ２０、プリンター部３０、制御部４０、操作パネル部５０、ファクシミリ通信部６０、ネットワークＩ／Ｆ部７０、パラレルＩ／Ｆ部８０、およびシリアルＩ／Ｆ部９０を備えて構成されている。
【００２４】
そして、スキャナー部１０、ＨＤＤ２０、制御部４０、操作パネル部５０、およびネットワークＩ／Ｆ部７０によって、取り込んだ画像データを暗号化して予め指定されたメールアドレスへ電子メールとして送信したり、ＩＰアドレスへ直接送信したりするネットワークスキャナー機能が実現される。
【００２５】
また、スキャナー部１０、ＨＤＤ２０、プリンター部３０、制御部４０、操作パネル部５０、およびファクシミリ通信部６０によって、ファクシミリ機能が実現される。さらに、ＨＤＤ２０、プリンター部３０、制御部４０、操作パネル部５０、ネットワークＩ／Ｆ部７０、およびパラレルＩ／Ｆ部８０によって、プリンター機能が実現される。また、スキャナー部１０、ＨＤＤ２０、プリンター部３０、制御部４０、および操作パネル部５０によって、コピー機能が実現される。
【００２６】
操作パネル部５０は、ユーザーがコピー機能、プリンター機能、ファクシミリ機能、およびスキャナー機能等に関する操作を行うために使用され、ユーザーによる操作指示、例えばＨＤＤ２０に記憶されている情報の印字を指示する画像形成指示等を制御部４０に与えるものである。
【００２７】
また、操作パネル部５０は、ユーザーの識別情報、例えば機密情報へのアクセスが許されたユーザーのみが知っているパスワード、すなわち当該パスワードを知っているユーザーは機密情報へのアクセスが許されているユーザーであることを識別する識別情報であるパスワードや、各ユーザーを個々に識別するための識別情報であるユーザーＩＤの入力を受け付ける。
【００２８】
操作パネル部５０は、タッチパネル等を有する表示部５１と、スタートキーやテンキー等を有する操作キー部５２とを含む。
【００２９】
表示部５１は、タッチパネルとＬＣＤ（Liquid Crystal Display）とを組み合わせた表示可能なタッチパネルユニット等を有し、種々の操作画面を表示し、入力操作を可能にする。
【００３０】
表示部５１は、例えばファクシミリ機能実行時において、ユーザー選択、送信先選択、送信設定等に関する情報を表示するとともに、使用者が当該部分をタッチすることで種々の操作指示を入力するための操作ボタン等を表示する。
【００３１】
操作キー部５２は、使用者によるコピー実行開始指示、あるいはファクシミリ送信開始指示といった種々の指示入力を行うために用いられる。
【００３２】
スキャナー部１０は、原稿の画像を光学的に取得して画像データを生成するものである。スキャナー部１０は、露光ランプ１１、およびＣＣＤ（電荷結合素子）１２を含んでいる。スキャナー部１０は、露光ランプ１１によって原稿を照射し、その反射光をＣＣＤ１２で受光することで、原稿画像を読み取り、読み取った画像に対応する画像データを制御部４０へ出力する。スキャナー部１０はモノクロ原稿だけでなく、カラー原稿や写真原稿の読み取りが可能となっていてもよい。
【００３３】
ＨＤＤ２０は、例えば制御部４０によって暗号化された原稿の画像データを記憶する記憶部の一例に相当している。ＨＤＤ２０は、ＳＳＤ（Solid State Drive）などの不揮発性半導体メモリーであってもよい。
【００３４】
プリンター部３０は、スキャナー部１０によって読み取られた原稿の画像データ、ネットワークＩ／Ｆ部７０を介して外部のパーソナルコンピューター等から受信した画像データ、およびファクシミリ通信部６０によって外部のファクシミリ装置から受信したファックスデータ等の画像データを制御部４０から取得して、これら画像データに対する画像を所定の記録紙に印刷するものである。
【００３５】
プリンター部３０は、例えば、給紙カセットおよび給紙ローラ等を有する用紙搬送部３１、中間転写体ローラ、感光体ドラム、露光装置、および現像装置等を有する像形成部３２（画像形成手段）、転写ローラ等を有する転写部３３、並びに定着ローラ等を有するを含む電子写真方式の画像形成部である。
【００３６】
具体的には、用紙搬送部３１は記録紙を像形成部３２へ搬送し、像形成部３２は上記画像データに対応するトナー像を形成し、転写部３３はトナー像を記録紙に転写し、定着部３４はトナー像を記録紙に定着させて画像を形成する。
【００３７】
なお、プリンター部３０は、トナーを用いて画像を形成する電子写真方式に限られず、例えば、記録紙にインクを吐出して画像を形成するインクジェット方式や、インクフィルムに熱を加えて記録紙に画像を転写する熱転写方式等、種々の方式を用いることができる。
【００３８】
ファクシミリ通信部６０は、符号化／復号化部（図示せず）、変復調部（図示せず）、およびＮＣＵ（Network Control Unit、図示せず）を含み、スキャナー部１０によって読み取られた原稿の画像データを電話回線やインターネット回線等の通信回線６１を介して他のファクシミリ装置へ送信したり、他のファクシミリ装置から送信されてきた画像データを受信したりするものである。
【００３９】
符号化／復号化部は、送信する画像データを圧縮・復号化し、受信した画像データを伸張・復号化するものである。変復調部は、圧縮・復号化された画像データを音声信号に変調したり、受信した信号（音声信号）を画像データに復調したりするものである。また、ＮＣＵは、送信先となるファクシミリ装置との電話回線による接続を制御するものである。
【００４０】
ネットワークＩ／Ｆ部７０は、ネットワークインターフェース（例えば10/100base-TX）等を用い、ＬＡＮ（Local Area Network）７１を介して接続された外部のパーソナルコンピューター等の端末装置（図示せず）との間で種々のデータの送受信を制御するものである。例えば、ネットワークＩ／Ｆ部７０は、スキャナー部１０によって読み取られ、制御部４０により暗号化された原稿画像データを端末装置へ電子メールとして送信したり、プリンター部３０で印刷するために端末装置から送られた画像データを受信したりする。
【００４１】
パラレルＩ／Ｆ部８０は、高速双方向パラレルインターフェイス（例えばＩＥＥＥ１２８４準拠）等を用いて、複数の信号線を用いて複数ビット単位でデータを送信するパラレル伝送によって、外部機器から印刷データ等を受信等するものである。
【００４２】
シリアルＩ／Ｆ部９０は、シリアルインターフェイス（例えばＲＳ−２３２Ｃ）等を用い、単一の信号線を用いて１ビットずつ順次データを送るシリアル伝送によって、外部機器等から種々のデータ等を受信等するものである。
【００４３】
制御部４０は、ＣＰＵ（Central Processing Unit、図示せず）、所定の制御プログラムを格納するＲＯＭ（Read Only Memory、図示せず）、ならびに一時的にデータを保管するＲＡＭ（Random Access Memory、図示せず）や、これらの周辺装置等を備えている。これによって、制御部４０は、操作パネル部５０等で受け付けられた指示情報や、画像形成装置１の各所に設けられているセンサーからの検出信号に応じて、画像形成装置１全体の制御を行う。
【００４４】
より具体的には、制御部４０は、ＲＯＭに記憶されている制御プログラムを実行することにより、スキャナーコントローラー４１、ファクシミリコントローラー４２、プリンターコントローラー４３、コピーコントローラー４４、ＨＤＤコントローラー４５（パーティション作成手段）、暗号鍵生成部４６（暗号鍵生成手段）、暗号化部４７、暗号鍵設定部４８（暗号鍵設定手段）、およびフォーマット部４９（フォーマット手段）として機能する。
【００４５】
制御部４０としてのコンピューターが読み取ることによって上述の各機能を実現するためのプログラムは、ＨＤＤ等の不揮発性且つ大容量の外部記憶装置に格納しておき、前記ＲＡＭ等の主記憶装置に適宜転送することで、ＣＰＵによる実行に供することも可能である。
【００４６】
スキャナーコントローラー４１は、スキャナー機能を実現するために用いられる各部の動作を制御するものである。
【００４７】
ファクシミリコントローラー４２は、ファクシミリ機能を実現するために用いられる各部の動作を制御するものである。ファクシミリコントローラー４２は、ファクシミリの送信を行う際には、ファクシミリ通信部６０によって、スキャナー部１０により読み取られた原稿の画像データを通信回線６１を介して、ＨＤＤ２０に記憶されている電話番号を指定してファクシミリ装置等へ直接送信させる。
【００４８】
プリンターコントローラー４３は、プリンター機能を実現するために用いられる各部の動作を制御するものである。
【００４９】
コピーコントローラー４４は、コピー機能を実現するために用いられる各部の動作を制御するものである。
【００５０】
ＨＤＤコントローラー４５は、ＨＤＤ２０の初期化やパーティションの作成を行ったり、データの読み込み、書き込み等Ｉ／Ｏ制御を行ったりする。
【００５１】
暗号鍵生成部４６は、画像形成装置１の固有情報に基づいて、暗号鍵を生成する。固有情報は、ユーザーにより入力されたものでもよいし、暗号鍵生成部が保持していてもよいし、ＨＤＤ２０などに記憶されていてもよい。暗号鍵生成部４６は、例えば、固有情報に対して、乗算、加算、その他種々の演算処理を行うことにより暗号鍵を生成してもよい。
【００５２】
暗号化部４７は、暗号鍵生成部４６により生成された暗号鍵を用いて、スキャナー部１０により読み取られた画像データなど印刷する情報を暗号化して暗号化データを生成し、ＨＤＤ２０に記憶させる。暗号化部４７は、暗号化方式として、例えばＤＥＳ（Data Encryption Standard）やＡＥＳ（Advanced Encryption Standard）等、種々の暗号方式を用いることができる。
【００５３】
暗号鍵設定部４８は、ＨＤＤ２０内に作成されたパーティションのうち、暗号化すべきパーティションに対し、暗号鍵生成部４６により生成された暗号鍵を設定し、パーティションを暗号化された状態とする。
【００５４】
フォーマット部４９は、ＨＤＤ２０内に作成されたパーティションのフォーマットを行う。
【００５５】
以上、画像形成装置１の構成について説明した。
【００５６】
［処理の流れ］
次に、画像形成装置１のＨＤＤ２０をフォーマットする際の処理の流れについて説明する。図２は、画像形成装置１のＨＤＤ２０をフォーマットする際の処理の流れについて説明するためのフローチャートである。なお、以下で説明する処理は、ユーザーなどからの指示または予め定められた処理手順に基づく指示により、記録媒体であるＨＤＤ２０のフォーマット要求があった場合に行われる処理である。
【００５７】
最初に、制御部４０は、ＨＤＤ２０において、全てのパーティションの作成と、作成されたパーティションのフォーマットとが完了したか否かを判断する（ステップＳ１０）。
【００５８】
全てのパーティションの作成と、作成されたパーティションのフォーマットとが完了していない場合（ステップＳ１０のＮ）、次に、ＨＤＤコントローラー４５が、パーティションの作成を行う（ステップＳ２０）。
【００５９】
次に、フォーマット部４９が、ステップＳ２０において作成されたパーティションに対し、フォーマットを行う（ステップＳ３０）。
【００６０】
制御部４０は、全てのパーティションの作成と、作成されたパーティションのフォーマットとが完了するまで、ステップＳ２０およびＳ３０の処理を繰り返す。
【００６１】
全てのパーティションの作成と、作成されたパーティションのフォーマットとが完了した場合（ステップＳ１０のＹ）、次に、暗号鍵生成部４６が、暗号鍵（例えば、暗号鍵＝０１２３４５６７８９ａｂｃｄｅｆなど）の生成を行う（ステップＳ４０）。
【００６２】
なお、図３に、ＨＤＤ２０内に生成された全てのパーティション（パーティション１からパーティション５まで）が、フォーマットされ、非暗号化状態である様子を示す。
【００６３】
次に、制御部４０が、暗号化するパーティションの情報（どのパーティションを暗号化するか）を取得する（ステップＳ５０）。情報はユーザーにより入力されてもよいし、画像形成装置１が予め保持していてもよいし、画像形成装置１の外部から取得してもよい。ここでは、暗号化するパーティションの情報により、パーティション１、２、および４が、暗号化すべきパーティションとして指定されたとする。
【００６４】
次に、制御部４０は、全ての暗号化すべきパーティションが暗号化フォーマットされたか否かを判断する（ステップＳ６０）。
【００６５】
制御部４０は、全ての暗号化すべきパーティションがまだ暗号化フォーマットされていない場合（ステップＳ６０のＮ）、次に、暗号鍵設定部４８が、ステップＳ４０において生成された暗号鍵を、暗号化すべきパーティションの対応する箇所に設定する（暗号鍵と暗号化すべきパーティションとを紐付ける）（ステップＳ７０）。暗号鍵の設定により、暗号化フォーマットが完了する。
【００６６】
制御部４０は、全ての暗号化すべきパーティションが暗号化フォーマットされるまで、ステップＳ７０の処理を繰り返す。
【００６７】
全ての暗号化すべきパーティションが暗号化フォーマットされた場合（ステップＳ６０のＹ）、制御部４０は、ＨＤＤ２０のフォーマット処理を終了する。
【００６８】
なお、図４に、ＨＤＤ２０内に生成された全てのパーティションのうち、暗号化すべきパーティション（パーティション１、２、および４）が、暗号化フォーマットによりフォーマットされた状態を示す。
【００６９】
以上、画像形成装置１のＨＤＤ２０をフォーマットする際の処理の流れについて説明した。
【００７０】
＜第２の実施形態＞
次に、第２の実施形態について説明する。本実施形態では、画像形成装置の稼働中に、あるパーティションが破壊され、ＨＤＤ２０内に予備で設けておいた領域を新たに代替パーティションとして利用する際に、暗号化するか否かを制御部４０が判断し処理する。
【００７１】
制御部４０による、暗号化するか否かの判断は、破壊されたパーティションが暗号化されたものであったか否か、すなわち破壊されたパーティションに暗号鍵が紐付けられていたか否かの情報に基づいて行われる。
【００７２】
［画像形成装置の構成］
図５に本実施形態に係る画像形成装置１ａの構成を示す。画像形成装置１ａの構成は、障害処理部１００（障害処理手段）が加えられた以外は、第１の実施形態と基本的に同じなので、部材番号など重複するものは第１の実施形態と同じものを使用し、説明は省略する。
障害処理部１００は、パーティションに復旧不可能な障害が発生した場合、ＨＤＤコントローラー４５を介して障害の発生を検知する。また、障害処理部１００は、障害発生後、ＨＤＤコントローラー４５に新たなパーティションを作成させる。そして、障害が発生したパーティションが暗号化パーティションである場合、障害が発生したパーティションを暗号化するためにそのパーティションに紐付けられていた暗号鍵を、新たに作成したパーティションに紐付け直す（紐付けを切り替える）。
【００７３】
［処理の流れ］
次に、代替パーティションを暗号化するか否かの判断を行って代替パーティションを作成する処理の流れについて説明する。図６は、代替パーティションを暗号化するか否かの判断を行って代替パーティションを作成する処理の流れを説明するためのフローチャートである。なお、代替パーティションとして用いるＨＤＤ２０内の領域は既に確保されていることを前提とする。
【００７４】
最初に、障害処理部１００がＨＤＤコントローラー４５を介してＨＤＤ２０内のあるパーティションの障害を検知する（ステップＳ１００）。なお、ここで検知した障害は、障害が発生したパーティションが破壊され、復旧が不可能な程度の障害であるとする。
【００７５】
次に、障害処理部１００が、ＨＤＤコントローラー４５に指示して、予め確保しておいたＨＤＤ２０内の予備領域に、破壊されたパーティションを代替する新たなパーティション（代替パーティション）を作成する（ステップＳ１１０）。
【００７６】
次に、フォーマット部４９が、代替パーティションのフォーマットを行う（ステップＳ１２０）。
次に、障害処理部１００が、破壊されたパーティションが暗号化パーティションであったか否かを判断する（ステップＳ１３０）。暗号化パーティションであったか否かは、障害の発生したパーティションに暗号鍵が設定されていたか（紐付けられていたか）否かにより判断してもよい。また、暗号化パーティションであったか否かは、第１の実施形態の「暗号化するパーティションの情報」に基づいて行われてもよい。
【００７７】
破壊されたパーティションが暗号化パーティションであった場合（ステップＳ１３０のＹ）、次に、暗号鍵設定部４８が、代替パーティションに暗号鍵を設定し、代替パーティションを暗号化する（ステップＳ１４０）。
【００７８】
破壊されたパーティションが暗号化パーティションではない場合（ステップＳ１３０のＮ）、特に処理は行わない。
【００７９】
以上、代替パーティションを暗号化するか否かの判断を行って代替パーティションを作成する処理を説明した。
【００８０】
［補足事項］
その他、本技術は、上述の実施形態にのみ限定されるものではなく、本技術の要旨を逸脱しない範囲内において種々変更を加え得ることは勿論である。
【符号の説明】
【００８１】
１、１ａ  …  画像形成装置
１０  …  スキャナー部
２０  …  ＨＤＤ
３０  …  プリンター部
４０  …  制御部
４１  …  スキャナーコントローラー
４２  …  ファクシミリコントローラー
４３  …  プリンターコントローラー
４４  …  コピーコントローラー
４５  …  ＨＤＤコントローラー
４６  …  暗号鍵生成部
４７  …  暗号化部
４８  …  暗号鍵設定部
４９  …  フォーマット部
５０  …  操作パネル部
６０  …  ファクシミリ通信部
７０  …  ネットワークＩ／Ｆ部
８０  …  パラレルＩ／Ｆ部
９０  …  シリアルＩ／Ｆ部
１００  …  障害処理部
【図１】
2015103923.tif 000003
【図２】
2015103923.tif 000004
【図３】
2015103923.tif 000005
【図４】
2015103923.tif 000006
【図５】
2015103923.tif 000007
【図６】
2015103923.tif 000008